(57)【要約】【課題】湯張り動作中の停電もしくは電源回路の異常に対して、湯水の連続出湯を防止し浴槽から水が溢れることによる拡大被害を回避することを目的とする。【解決手段】停電時に、水量制御手段7を閉止して給水を停止させる停電時閉止手段21と、停電時に停電時閉止手段21へ電源を供給するバックアップ電源22とを設けて給湯装置が自動的に水量制御手段7の閉止動作を行い水量制御手段7が閉止状態に維持され、これにより、水の供給を停止する。【選択図】図１
2007032955.tif 000002
【特許請求の範囲】
【請求項１】
出湯蛇口の上流側に配設された給湯回路を流れる水の流量の検出と流量の累積値を算出する流量検知手段と、前記給湯回路を流れる水を加熱するバーナと、加熱された湯温を検出する温度検知手段と、前記給湯回路を開閉するとともに前記給湯回路を流れる水量を調整する水量制御手段と、前記水量制御手段の開成動作と閉止動作を含む浴槽への湯張りを指示する湯張りスイッチと湯温設定スイッチと湯量設定スイッチを有する操作手段と、使用者が前記湯張りスイッチを操作して、前記出湯蛇口を開成して給湯回路に通水した後に前記湯温設定スイッチで設定された設定湯温で前記流量検知手段により計測された累積水量が所定の目標水量に達するまで給湯動作を継続し、前記目標水量に達したときに前記水量制御手段により給湯回路への給水を停止させる湯張り動作を行う湯張り制御手段とを備え、停電時に、前記水量制御手段を閉止して給水を停止させる停電時閉止手段と、停電時に前記停電時閉止手段へ電源を供給するバックアップ電源とを備えたことを特徴とする給湯装置。
【請求項２】
停電時閉止手段は再通電時に水量制御手段を自動的に開成動作しないことを特徴とする請求項１記載の給湯装置。
【請求項３】
バックアップ電源は、商用電源から充電して停電時に備える商用電力充電手段を備えたことを特徴とする請求項１記載の給湯装置。
【発明の詳細な説明】
【技術分野】
【０００１】
本発明は、出湯蛇口を開成して設定量を浴槽等に給湯した時に自動的に給湯回路を閉止して給湯を停止できるようにした湯張り機能付き給湯装置に関し、特に、停電時のバックアップ制御に関するものである。
【背景技術】
【０００２】
任意に設定した湯量を自動的に給湯するようにした給湯装置として、例えば図２に示すような装置がある。給湯回路２６は熱交換器２７を経て浴槽（図示せず）の近傍に配設された出湯蛇口２８まで延びている。又、給湯回路２６に於ける熱交換器２７の上流側には流量検知手段２９と水量制御機能と給湯回路の止水機能とを併せ持った水量制御手段３０が挿入されており、流量検知手段２９は給湯回路２６を流れた水の総量を計測する機能を有している。これら流量検知手段２９や水量制御手段３０は制御回路３１に接続され、操作装置３２の設定状態に応じて所定の動作を行う。また、操作装置３２には湯張りスイッチ３３と湯量設定スイッチ３４と湯温設定スイッチ３５が配設されている。
【０００３】
上記給湯装置を用いて浴槽に湯張りするときは、湯量設定スイッチ３４で湯量を湯温設定スイッチ３５で湯温を設定して湯張りスイッチ３３を操作した後出湯蛇口２８を開放すると、制御回路３１の出力でガスバーナ３６が点火し、水量制御手段３０で水量を調節しながら供給される水が熱交換器２７部分で加熱された後に出湯蛇口２８から浴槽に供給される。
【０００４】
他方、給湯回路２６を流れる水量は流量検知手段２９で計測されており、計測値が湯量設定スイッチ３３に設定した湯量に等しくなると、ガスバーナ３６が消火し、水量制御手段３０が閉止状態に維持され水の供給を停止して湯張り動作が完了する。
【０００５】
このものでは、上記湯張りスイッチ３３は湯張り完了後に水量制御手段３０を強制開成させるリセットスイッチとしての機能も有しており、湯張り完了後に湯張りスイッチ３３を操作させると、閉止状態にある水量制御手段２９が開成状態に復帰し、以後、出湯蛇口２８から連続的に湯の取り出しができるようになっている（例えば、特許文献１参照）。
【特許文献１】特公平１−１４４９８号公報（図１）
【発明の開示】
【発明が解決しようとする課題】
【０００６】
しかしながら上記の従来の構成では、湯張り制御手段による湯張り動作中に停電もしくは電源回路の異常で給湯装置に通電されなくなった場合に水量制御手段が駆動できなくなり湯張り動作が完了できず浴槽へ水を供給し続けることになり水の無駄防止と浴槽から水が溢れることによる拡大被害が生じるという課題があった。
【０００７】
本発明は上記課題を解決するもので、湯張り動作中に停電もしくは電源回路の異常で給湯装置に通電されなくなった場合に給湯装置が自動的に水量制御手段を閉止動作を行い水量制御手段が閉止状態に維持され、これにより、水の供給を停止するようにして、水の無駄防止と浴槽から水が溢れることによる拡大被害防止するとともに使い勝手の向上を図ることを目的とする。
【課題を解決するための手段】
【０００８】
本発明は上記目的を達成するために、使用者が湯張りスイッチを操作して、出湯蛇口を開成して給湯回路に通水した後に湯温設定スイッチで設定された設定湯温で流量検知手段
により計測された累積水量が所定の目標水量に達するまで給湯動作を継続し、目標水量に達したときに水量制御手段により給湯回路への給水を停止させる湯張り動作を行う湯張り制御手段とを備えた給湯装置において、停電時に、水量制御手段を閉止して給水を停止させる停電時閉止手段と、停電時に停電時閉止手段へ電源を供給するバックアップ電源とを設けたものである。
【０００９】
上記発明によれば、湯張り動作中に停電もしくは電源回路の異常で給湯装置に通電されなくなった場合に給湯装置が自動的に水量制御手段を閉止動作を行い水量制御手段が閉止状態に維持され、これにより、水の供給を停止するようにして、水の無駄防止と浴槽から水が溢れることによる拡大被害防止するとともに使い勝手の向上を図ることができる。
【発明の効果】
【００１０】
以上のように本発明の給湯装置によれば、湯張り動作中に停電もしくは電源回路の異常で給湯装置に通電されなくなった場合でも浴槽への水の供給を停止することができるので水の無駄防止と浴槽から水が溢れることによる拡大被害防止するとともに使い勝手の向上を図ることができる。
【００１１】
また、停電後に電源が復帰して再通電した場合にも水量制御手段で給湯回路の閉止を確実に行い湯張り動作中に停電もしくは電源回路の異常で給湯装置に通電されなくなった場合でも浴槽への水の供給を停止することができるので水の無駄防止と浴槽から水が溢れることによる拡大被害防止するとともに使い勝手の向上を図ることができる。
【００１２】
さらに、バックアップ電源の電池交換が不要となると共に、不意に停電が起こったとしてもバックアップ電源切れを起こさず、水量制御手段を確実に閉止駆動して水の供給を停止できるという優れた効果を奏する。
【発明を実施するための最良の形態】
【００１３】
第１の発明は、出湯蛇口の上流側に配設された給湯回路を流れる水の流量の検出と流量の累積値を算出する流量検知手段と、給湯回路を流れる水を加熱するバーナと、加熱された湯温を検出する温度検知手段と、給湯回路を開閉するとともに給湯回路を流れる水量を調整する水量制御手段と、流量検知手段で検出された水の流量の累積値を算出する給水量累積手段と、水量制御手段の開成動作と閉止動作を含む浴槽への湯張りを指示する湯張りスイッチと湯温設定スイッチと湯量設定スイッチを有する操作手段と、使用者が湯張りスイッチを操作して、出湯蛇口を開成して給湯回路に通水した後に湯温設定スイッチで設定された設定湯温で給水量累積手段により計測された累積水量が所定の目標水量に達するまで給湯動作を継続し、目標水量に達したときに水量制御手段により給湯回路への給水を停止させる湯張り動作を行う湯張り制御手段とを備えた給湯装置において、停電時に、水量制御手段を閉止して給水を停止させる停電時閉止手段と、停電時に停電時閉止手段へ電源を供給するバックアップ電源とを設けたものであり、湯張り動作中に停電もしくは電源回路の異常で給湯装置に通電されなくなった場合に給湯装置が自動的に水量制御手段を閉止動作を行い水量制御手段が閉止状態に維持され、これにより、水の供給を停止するようにして、水の無駄防止と浴槽から水が溢れることによる拡大被害防止するとともに使い勝手の向上を図ることができる。
【００１４】
第２の発明は、停電時閉止手段は再通電時に水量制御手段を自動的に開成動作しないことを特徴とするものであり、再通電時に浴槽への水の供給を停止しているので水の無駄防止と浴槽から水が溢れることによる拡大被害防止するとともに使い勝手の向上を図ることができる。
【００１５】
第３の発明は、バックアップ電源は、商用電源から充電して停電時に備える商用電力充
電手段を設けたことを特徴とするものであり、バックアップ電源の電池交換が不要となると共に、不意に停電が起こったとしてもバックアップ電源切れを起こさず、水量制御手段を確実に閉止駆動して水の供給を停止できるという優れた効果を奏する。
【００１６】
以下、本発明の実施の形態について図面を参照して説明する。なお、本実施の形態によって本発明が限定されるものではない。
【００１７】
（実施の形態１）
図１は、本発明の第１の実施の形態における全体構成図を示す。
【００１８】
１は出湯蛇口、２は前記出湯蛇口１の上流側に配設された給湯管３、熱交換器４、給水管５からなる給湯回路、６は給湯回路２に連接し給湯回路２を流れた水量を計測する流量検知手段、７は給湯回路を開閉するとともに給湯回路を流れる水量を調整する水量制御手段、８は熱交換器を加熱するバーナ、９は運転スイッチ１０と所定の湯量を設定する湯量設定スイッチ１１と所定の湯温を設定する湯温設定スイッチ１２と湯張りスイッチ１３とを備えたリモコン装置、１４はリモコン装置９の設定温度と設置温度に応じてバーナ９に供給する燃料を制御する燃料制御装置、１５は燃料弁、１６は燃焼用空気を供給する送風機、１７は入水温度を検出する入水温度検出装置、１８は出湯温度を検出する出湯温度検出装置、１９は給湯装置全体の制御を行うコントローラで、図示しない理論演算回路を構成するＣＰＵ、ＲＡＭ、ＲＯＭと各種センサや制御装置からの入力信号受付ける入力部と入力部からの入力を計算する演算部と各種のアクチュエーターに駆動信号を出力する出力部で構成されている。
【００１９】
２０はコントローラ１９に内蔵された湯張り制御装置で、バーナ９を強制消火する強制消火信号及び水量制御手段７を閉止動作する給湯停止信号等を出力し、所定の湯張り運転を制御するものである。２１は停電時に、水量制御手段を閉止して給水を停止させる停電時閉止手段、２２はバックアップ電源で停電時に停電時閉止手段２１に電源を供給する。２３はバーナ８を点火する点火装置、２４はバーナの点火を検地する火炎検知手段である。
【００２０】
上記構成において、湯張り動作について説明する。
【００２１】
使用者が浴槽に湯張りを行うためには、あらかじめリモコン装置９にある湯量設定スイッチ１１と湯温設定スイッチ１２で浴槽に入れるお湯の湯量と温度を設定しておく。この湯量と温度はリモコン装置９に記憶されるので、同一条件で使用する場合は、一度設定すれば次回からは設定の必要がない。
【００２２】
次に、浴室の出湯蛇口１を開くと、給湯回路２に水が流れて流量検知手段６が「ＯＮ」してコントローラ１９が、給湯装置の各アクチュエーターの初期チェックを行い、送風機１６を点火回転数で回転する。
【００２３】
送風機１６が回転を開始すると点火装置２３が「ＯＮ」して連続火花放電が始まり、同時にバ−ナ８に供給される燃料回路を開閉する燃料弁１５が開き、点火に必要なガス量を供給するように燃料制御装置１４を「開」にしてバーナ８にガスを供給して点火する。
【００２４】
以降、出湯温度検出装置１８で検出する湯温が、湯温設定スイッチ１２で設定された温度になるように燃料制御装置１４が燃料を調整する。
【００２５】
また、火炎検知手段２４でバーナが正常に点火して良好に燃焼していると判定した場合は、バーナ８で燃焼する燃料が良好な燃焼をするように送風機１６が適宜風量を調整する
。
【００２６】
その後、湯量設定スイッチ１１で設定した湯量と流量検知手段６で計測した水量が等しくなれば、湯張り制御装置２０から強制消火信号が出力され、燃料制御装置１４と燃料弁１５が閉じて燃料の供給を停止するのでバーナ８は消火する。
【００２７】
また同時に、湯張り制御装置２０から報知信号が出力され、リモコン装置９が報知音を鳴らして湯張りの完了を知らせる。
【００２８】
上記の湯張り動作中に停電もしくは電源回路の異常で給湯装置に通電されなくなった場合にはコントローラ１９は停止して燃料制御装置１４と燃料弁１５が閉じて燃料の供給を停止するのでバーナ８は消火する。一方、停電時に水量制御手段７を閉止制御する停電時閉止手段２１への電源は、停電となると同時に商用電源からバックアップ電源２２へ直ちに切替えられて停電時閉止手段２１が自動的に水量制御手段７を閉止動作を行い水量制御手段７が閉止状態に維持され、これにより、水の供給を停止する。
【００２９】
以上のように、湯張り動作中に停電もしくは電源回路の異常で給湯装置に通電されなくなった場合でも浴槽への水の供給を停止することができるので水の無駄防止と浴槽から水が溢れることによる拡大被害防止するとともに使い勝手の向上を図ることができる。
【００３０】
（実施の形態２）
第２の実施の形態は、上記第１の実施の形態に加えて、停電時閉止手段２１に再通電時に水量制御手段７を自動的に開成動作しない制御を加えたもので、再通電時に浴槽への水の供給を停止しているので水の無駄防止と浴槽から水が溢れることによる拡大被害防止するとともに使い勝手の向上を図ることができる。
【００３１】
（実施の形態３）
実施の形態３は、上記第１、第２の実施の形態に加えて、バックアップ電源２２は、商用電源から充電して停電時に備える商用電力充電手段２５を設けたことを特徴とするものであり、バックアップ電源の電池交換が不要となると共に、不意に停電が起こったとしてもバックアップ電源切れを起こさず、水量制御手段を確実に閉止駆動して水の供給を停止できるという優れた効果を奏する。
【産業上の利用可能性】
【００３２】
本発明の給湯装置は、湯張り動作中に停電もしくは電源回路の異常で給湯装置に通電されなくなった場合でも浴槽への水の供給を停止することができるので水の無駄防止と浴槽から水が溢れることによる拡大被害防止することができ、電源を用いた自動湯張り装置全般に適用することができる。
【図面の簡単な説明】
【００３３】
【図１】本発明の第１の実施の形態における全体構成図
【図２】本発明の第３の実施の形態における全体構成図
【図３】従来の給湯装置の構成図
【符号の説明】
【００３４】
１  出湯蛇口
２  給湯回路
６  流量検知手段
７  水量制御手段
９  リモコン装置
１１  湯量設定スイッチ
１２  湯温設定スイッチ
１３  湯張りスイッチ
１４  燃料制御装置
１５  燃料弁
１９  コントローラ
２０  湯張り制御装置
２１  停電時閉止手段
２２  バックアップ電源
２５  商用電力充電手段
【図１】
2007032955.tif 000003
【図２】
2007032955.tif 000004
【図３】
2007032955.tif 000005